(57)【要約】【発明が解決しようとする課題】本願発明は、長時間作業をしても腕などに疲労感なく、贅肉を除去すること。また、従来の技術と比べ短時間で、従来の技術では期待が出来なかった深部に効率的刺激を与え、脂質を除去すること。【課題を解決するための手段】掃除機などの吸引装置に中空の把持具の一端を接続し、他端に一対（二つ）の円筒状ローラーが該円筒状ローラーの軸方向に平行し、かつ、該一対の円筒状ローラーと把持具とは、吸引機が吸引したときに贅肉を把持具内に吸引可能なように該一対の円筒状ローラーは、間隔が空くように把持され、該一対の円筒状ローラーと把持具の他端開口の内面は、吸引装置で吸引したときに贅肉が一対の円筒状ローラーの間と把持具により形成される空間（贅肉吸引部）に吸引させることにより、身体に適度な刺激及び振動を腕などに掛かる負担を軽減する。【選択図】  図１
2004167181.tif 000002
【特許請求の範囲】
【請求項１】
身体の贅肉部をローリングし、酸化脂質等を除去して痩身ボディーを作り上げるための美容マッサージ器において、
一対（二つ）のローラーと両端が開口した中空の把持具から構成され、
当該把持具の開口した一端は、吸引装置に接続可能な形状に形成され、
開口した他端には、一対（二つ）の円筒状のローラーが、軸方向に平行し、かつ、該一対（二つ）の円筒状ローラーと把持具が、贅肉吸引部となる空間が形成されるように該一対（二つ）の円筒状ローラーは、間隔が空くように、かつ、回動自在に把持され、
開口した一端に吸引装置が接続され、吸引された場合に、贅肉吸引部に贅肉が吸引される程度に、軸方向に平行して把保具に把持された一対（二つ）の該円筒状のローラーの外周と該円筒状のローラーが把持される把持具の内面との間隙は、密接し、形成されることを特徴とする吸引ローラーマッサージ器。
【請求項２】
前記把持具に把持される一対のローラーは、軸の断面が多角形の角の頂点部分にアールを施したことを特徴とする請求項１記載の吸引ローラーマッサージ器。
【発明の詳細な説明】
【０００１】
【発明の属する技術分野】本願発明は、身体に溜まった酸化脂質を除去し、痩身ボディーを形成するに好適な吸引ローラーマッサージ器に関するものである。
【０００２】
【従来の技術】贅肉内には、静電気（マイナス電気）が充満しており、かかる静電気は、美容塩のような通電性の電解質による電解作用により放電されて取り除かれる。そして、贅肉の溜まっている部分に超音波振動等の刺激及び適度な振動数の共鳴振動を加えることにより贅肉内の静電気が吸着され身体から脂肪分が除去されることが知られている。
かかる身体に振動を与える手段として、断面が多角形の角の頂点部分にアールを施したローラーを回転させることにより身体に押圧力を加え、贅肉内の静電気を吸着させ、脂質を除去していた。
上記従来の技術においては、ローラーマッサージ器を手で持ち贅肉が溜まっている部分にあて手動でローラーを回転させていたことから、適度な刺激及び振動を長時間与える作業は、腕が疲れる等の使用者にとって、その効果を得るために、身体的苦痛を伴うものであった。
【０００３】
【発明が解決しようとする課題】本願発明は、長時間作業をしても腕などに疲労感なく、贅肉を除去することにある。また、従来の技術と比べ短時間で、従来の技術では期待が出来なかった贅肉の深部に効率的な刺激を与え、脂質を除去する。
【０００４】
【課題を解決するための手段】上記課題を解決するため、本願発明は、掃除機などの吸引装置に中空の把持具の一端を接続し、他端に一対（二つ）の円筒状ローラーが該円筒状ローラーの軸方向に平行し、かつ、該一対の円筒状ローラーと把持具とは、吸引機が吸引したときに贅肉を把持具内に吸引可能なように該一対の円筒状ローラーは、間隔が空くように把持され、該一対の円筒状ローラーと把持具の他端開口の内面は、吸引装置で吸引したときに贅肉が一対の円筒状ローラーの間と把持具により形成される空間（贅肉吸引部）に吸引させることにより、身体に適度な刺激及び振動を腕などに掛かる負担を軽減する。
【０００５】
【実施例】以下、本願発明の実施例について、図面を用いながら説明する。
【０００６】図１及び図２は、請求項１記載の実施例を示すものであり、図１は、請求項１記載の実施例の斜視図、図２は、図１の斜視図のＡ−Ａ’断面図である。
【０００７】まずは、図１及び図２を参照しながら請求項１記載の実施例について説明する。
【０００８】請求項１記載の吸引ローラーマッサージ器１の実施例は、把持具２とローラー３から構成される。
把持具２は、中空上に形成され、両端が開口している。
開口した一端２１は、掃除機などの吸引装置（図示せず）の吸入口に接続される。
掃除機などの吸引口は、一般に円筒状に形成されていることから本実施例では、中空円筒状とした。
【０００９】
一方、開口した他端２２には、一対のローラー３が、把持される。
該一対のローラー３は、円筒状に形成され、ローラーの軸方向平行に把持具２に把持される。
把持具２とローラー３は、ローラー３の軸３１が把持具２に設けられた軸受け２３に回動自在に把持される。軸３１は、ローラー３の両端（一端のみ図示）の中心に軸方向に円筒状に設けられる。
一対のローラー３は、間隔が空くように把持され、該一対のローラー３と把持具２の開口した他端２２の内面は、吸引装置で吸引したときに贅肉が一対のローラーの間と把持具により形成される空間（贅肉吸引部２４）ができるように把持される。
そして、開口した一端２１に接続した掃除機等の吸引装置で吸引したとき贅肉は、贅肉吸引部２２に吸引され、本実施例の吸引ローラーマッサージ器１のローラーで痩身したい個所をマッサージすることによりローラー３が回転し、身体に押圧力を加え、贅肉内の静電気を吸着させ、脂質を除去することができる。
【００１０】つぎに、図３を用いて、請求項２記載の実施例のローラーについて説明する。
【００１１】請求項２記載の実施例のローラー３は、断面が、正８角形で正８角形の角にアールが施され、形成されている。
ローラー３の両端には、請求項１記載の実施例のローラー３と同様に、軸３１が設けられている。
ローラー３は、請求項１記載の実施例と同様に、軸３１が把持具２の軸受け２４に把持される。
ローラー３の断面を角にアールを施した正８角形にしたことで身体に適度な押圧力を加え、贅肉内の静電気を吸着させ、脂質を除去することができる。
【００１２】以上、実施例に基づき本願発明を説明したが、本願発明は上記実施例に何ら限定されるものではなく、本願発明の趣旨を逸脱しない範囲内で種々の改良変形が可能なことは容易に推察できることできるものである。
【００１３】
【発明の効果】本願発明は、上述のように、身体に押圧力を加え、贅肉内の静電気を吸着させ、脂質を除去し、痩身ボディを作ることができるのみならず、マッサージにより血流を促し、浮腫みや血行不良が原因でおこるセルライト（肥大化した脂肪の周りに老廃物や水分がたまり塊になったものをいう。）も改善できる。
【図面の簡単な説明】
【図１】図１は、請求項１記載の実施例の斜視図である。
【図２】図２は、図１の斜視図のＡ−Ａ’断面図である。
【図３】図３は、請求項２記載のローラーの斜視図である。
【符号の説明】
１        吸引ローラーマッサージ器
２        把持具
３        ローラー
２１      開口した一端
２２      開口した他端
２３      軸受け
２４      贅肉吸引部
３１      軸
【図１】
2004167181.tif 000003
【図２】
2004167181.tif 000004
【図３】
2004167181.tif 000005